(57)【要約】      （修正有）【課題】バッテリー付きカードに充電するための携帯型充電装置を提供する。【解決手段】携帯型充電装置１は、携帯端末から電力の供給を受けるための受電用コネクタ１２と、バッテリーを有するカードが備える受電部に接触し、当該受電部に電力を供給する接触部１３とを備えている。上記の構成によれば、携帯端末から電力の供給を受けることにより、バッテリー付きカードに充電するための携帯型充電装置を実現することができる。【選択図】図１
2018050434.tif 000002
【特許請求の範囲】
【請求項１】
携帯端末から電力の供給を受けるための受電用コネクタと、
バッテリーを有するカードが備える受電部に接触し、当該受電部に電力を供給する接触部と
を備えていることを特徴とする携帯型充電装置。
【請求項２】
上記接触部は、
上記カードの受電部に接触し、当該受電部に電力を供給するための１又は複数のピンと、
上記カードの受電部に接触するが、当該受電部に電力を供給しない１又は複数のピンと、
を備えていることを特徴とする請求項１に記載の携帯型充電装置。
【請求項３】
当該携帯型充電装置の本体には、上記カードの一端が当接可能なガイド部が形成されている、
ことを特徴とする請求項１又は２に記載の携帯型充電装置。
【請求項４】
上記接触部から上記カードの受電部に給電が行われている場合に点灯し、当該給電が行われていない場合に消灯する充電灯をさらに備えている、
ことを特徴とする請求項１から３の何れか１項に記載の携帯型充電装置。
【請求項５】
当該携帯型充電装置の本体には、上記受電用コネクタを収容可能な凹部が形成されている、
ことを特徴とする請求項１から４の何れか一項に記載の携帯型充電装置。
【発明の詳細な説明】
【技術分野】
【０００１】
本発明は、携帯型充電装置に関する。
【背景技術】
【０００２】
最近、バッテリーを有するカードが使われ始めている。ユーザは、通常、そのようなカードに充電する場合に、カードを決済端末に挿入するか、カードをＵＳＢ付きのアダプタ経由でＰＣに接続する。なお、当該カードに関しては、特許文献１に開示されている。
【先行技術文献】
【特許文献】
【０００３】
【特許文献１】特許第５９２０７４７号公報
【発明の概要】
【発明が解決しようとする課題】
【０００４】
しかしながら、決済端末は限られた場所に設置されており、また、ＰＣおよびアダプタは常時携帯可能ではないので、ユーザが移動中や外出先でカードに充電することができないという問題がある。
【０００５】
本発明は、前記の問題点に鑑みてなされたものであり、その目的は、バッテリー付きカードに充電するための携帯型充電装置を実現することにある。
【課題を解決するための手段】
【０００６】
上記の課題を解決するために、本発明の一態様に係る携帯型充電装置は、携帯端末から電力の供給を受けるための受電用コネクタと、バッテリーを有するカードが備える受電部に接触し、当該受電部に電力を供給する接触部と、を備えている。
【０００７】
上記の構成によれば、携帯端末から電力の供給を受けることにより、バッテリー付きカードに充電するための携帯型充電装置を実現することができる。
【０００８】
また、本発明の一態様に係る携帯型充電装置において、上記接触部が、上記カードの受電部に接触し、当該受電部に電力を供給するための１又は複数のピンと、上記カードの受電部に接触するが、当該受電部に電力を供給しない１又は複数のピンと、を備えていてもよい。
【０００９】
上記の構成によれば、携帯型充電装置であっても、ピンをカードの受電部に接触させることにより、カードを適切に保持することができる。
【００１０】
また、本発明の一態様に係る携帯型充電装置において、当該充電装置の本体には、上記カードの一端が当接可能なガイド部が形成されていてもよい。
【００１１】
上記の構成によれば、携帯型充電装置であっても、カードの一端が当接可能なガイド部があるので、カードを安定的に保持することができる。
【００１２】
また、本発明の一態様に係る携帯型充電装置において、上記接触部から上記カードの受電部に給電が行われている場合に点灯し、当該給電が行われていない場合に消灯する充電灯をさらに備えていてもよい。
ことを特徴とする請求項１から３の何れか１項に記載の携帯型充電装置。
【００１３】
上記の構成によれば、カードの充電に際して、携帯型充電装置に対するカードの適切な位置を、ユーザに知らせることができる。
【００１４】
また、本発明の一態様に係る携帯型充電装置において、当該充電装置の本体には、上記受電用コネクタを収容可能な凹部が形成されていてもよい。
【００１５】
上記の構成によれば、充電装置の本体に受電用コネクタを収容可能とすることにより、充電装置の携帯性がさらに向上する。
【発明の効果】
【００１６】
本発明は、バッテリー付きカードに充電するための携帯型充電装置を実現することができるとの効果を奏する。
【図面の簡単な説明】
【００１７】
【図１】本発明の実施形態１に係る携帯型充電装置の構造を示す図であり、（ａ）は充電装置の上面図であり、（ｂ）は充電装置の側面図であり、（ｃ）は（ｂ）のＡ−Ａ断面図である。
【図２】本発明の実施形態１に係る充電装置の要部構成を示す図であり、（ａ）は充電装置の要部構成の一例を示す図であり、（ｂ）は充電装置の要部構成の変形例を示す図である。
【図３】本発明の実施形態１に係るカードの構成を示す図である。
【図４】本発明の実施形態１に係る充電装置にカードを装着した状態を示す図であり、（ａ）は充電装置およびカードの上面図を示し、（ｂ）は充電装置およびカードの側面図を示す。
【図５】本発明の実施形態２に係る充電装置の構造を示す図であり、（ａ）は受電用コネクタが本体から外された状態を示す図であり、（ｂ）は受電用コネクタが本体に装着された状態を示す図である。
【図６】本発明の実施形態１、２に係るカードの外観の一例を示す図であり、（ａ）はカードが非活性化されているときの表面の外観を示す図であり、（ｂ）はカードが活性化されているときの裏面の外観を示す図であり、（ｃ）はカードが活性化されているときの表面の外観を示す図である。
【発明を実施するための形態】
【００１８】
〔実施形態１〕
以下、本発明の実施形態１について、詳細に説明する。
【００１９】
（携帯型充電装置１の構造）
図１は、本実施形態に係る携帯型充電装置（以下、「充電装置」と呼ぶ）１の構造を示す図である。図１（ａ）は、充電装置１の上面図である。図１（ｂ）は、充電装置１の側面図である。図１（ｃ）は、図１（ｂ）のＡ−Ａ断面図である。
【００２０】
図１（ａ）に示すように、充電装置１は、本体１１、受電用コネクタ１２、接触部１３、および、充電灯１４を備えている。本体１１は、充電装置１の主体となる構造物である。
【００２１】
受電用コネクタ１２は、スマートフォンなどの携帯端末から電力の供給を受けるためのコネクタである。本実施形態における上記携帯端末は、受電用コネクタ１２を介して、充電装置１に対して電力を供給することができる。
【００２２】
受電用コネクタ１２の一端は、本体１１の左側に付設され、受電用コネクタ１２の他端は携帯端末の電源プラグ差し込み口（図示せず）に挿入される。受電用コネクタ１２によって携帯端末から供給された電力は、接触部１３に供給される。
【００２３】
受電用コネクタ１２の具体的な形状、サイズ及び端子数等は本実施形態を限定するものではないが、接続先の携帯端末が採用している規格に合致したものとすればよい。そのような規格の一例として、例えば、USB Type-C（登録商標）、Power IQ（登録商標）、Qualcomm社のQuick Charge、Apple社が用いている規格、及びMediaTek社のPump Express等が挙げられる。
【００２４】
接触部１３は、バッテリー２２を有するカード２が備える受電部２１（図３参照）に接触し、受電部２１に電力を供給する。接触部１３の具体的な形状、サイズ及び端子数等は、本実施形態を限定するものではないが、充電先のカードの受電部の規格に合致したものとすればよい。そのような規格の一例として、ISO/IEC 7816に準じた規格、より具体的には、EuroPay（登録商標）、MasterCard（登録商標）、VISA（登録商標）等による標準仕様が挙げられる。
【００２５】
接触部１３の詳細の一例は、別途説明する。
【００２６】
充電灯１４は、本体１１の上面に設置され、充電装置１の接触部１３からカード２の受電部２１に給電が行われている場合に点灯し、当該給電が行われていない場合に消灯する。充電灯１４は、例えば、赤、緑、青色のＬＥＤ、又はそれらの組み合わせによって構成することができる。また、充電灯１４は、充電装置１の接触部１３からカード２の受電部２１に給電が行われている場合に点滅することによって、ユーザに充電中であることを知らせる構成であってもよい。
【００２７】
また、充電装置１は、充電灯１４に加えて、又は、充電灯１４に代えて、バイブレーションを生成するバイブレーション生成部を備える構成とし、充電装置１の接触部１３からカード２の受電部２１への給電が開始した場合に、バイブレーションによってユーザに充電が開始された旨を知らせる構成であってもよい。
【００２８】
更に、充電装置１は図示しない制御部を備え、当該制御部が、ユーザへの充電開始の報知方法を制御する構成としてもよい。
【００２９】
図１（ｂ）に示すように、本体１１は、Ｕ字を横にした形状に形成されている。接触部１３は、本体１１の内平面の上側に設置され、下方向に突起したピンが形成されている。
【００３０】
接触部１３は、カード２の受電部２１に接触し、受電部２１に電力を供給するための１又は複数のピンと、カード２の受電部２１に接触するが、受電部２１に電力を供給しない１又は複数のピンと、を備えている。例えば、図１（ｃ）に示すように、接触部１３は、ピン１３ａ〜１３ｆを備えている。ピン１３ａ、１３ｄは、カード２の受電部２１に当接し、受電部２１に電力を供給する。ピン１３ｂ、１３ｃ、１３ｅ、１３ｆは、カード２の受電部２１に当接するが、受電部２１に電力を供給しない。
【００３１】
さらに、図１（ｂ）に示すように、充電装置１の本体１１には、カード２の一端が当接可能なガイド部１５が形成されている。ガイド部１５は、本体１１のＵ字形の折り返し部分の内側に形成される。
【００３２】
（携帯型充電装置１の要部構成）
図２は、本実施形態に係る充電装置１の要部構成を示す図である。図２（ａ）は、充電装置１の要部構成の一例を示す図である。図２（ｂ）は、充電装置１の要部構成の変形例を示す図である。
【００３３】
図２（ａ）に示すように、充電装置１は、受電用コネクタ１２と、接触部１３とを備えている。受電用コネクタ１２は、ケーブル１２ｂを介して本体１１に接続されている。なお、充電装置１は、変形例として、電圧を変換した上で接触部１３に供給する構成としてもよい。例えば、図２（ｂ）に示すように、充電装置１は、受電用コネクタ１２と、電圧変換部１６と、電流制限部１７と、接触部１３とを備えていてもよい。電圧変換部１６は、受電用コネクタ１２から印加された電圧を所定の電圧に変換する。電流制限部１７は、電圧変換部１６から接触部１３に電圧が印加されて接触部１３に流れる電流を制限する。
【００３４】
（カード２の構成）
図３は、本実施形態に係るカード２の構成を示す図である。カード２は、受電部２１と、バッテリー２２とを備えている。受電部２１は、充電装置１から給電を受ける部分であり、図３に示すように、８個の電極板２１ａ〜２１ｈを備えている。電極板２１ａ〜２１ｄ、電極板２１ｅ〜２１ｈがそれぞれ一列に配置されている。特に、電極板２１ｄ、２１ｈは、カード２から受電する。受電部２１は、例えば、ＩＣチップである。
【００３５】
図１（ｃ）と、図３とを比較すれば、充電装置１のピン１３ａ、１３ｄは、それぞれカード２の電極板２１ｄ、２１ｈに当接し、給電する。一方、充電装置１のピン１３ｂ、１３ｃ、１３ｅ、１３ｆは、それぞれカード２の電極板２１ｃ、２１ｂ、２１ｇ、２１ｆに当接するが、給電はしない。
【００３６】
バッテリー２２は、カード２の内蔵バッテリーである。バッテリー２２は、電極板２１ｄ、２１ｈを通じて充電装置１から給電を受けて、充電される。
【００３７】
図４は、本実施形態に係る充電装置１にカード２を装着した状態を示す図である。図４（ａ）は、充電装置１およびカード２の上面図を示す。図４（ｂ）は、充電装置１およびカード２の側面図を示す。
【００３８】
図４（ａ）、図４（ｂ）に示すように、ユーザの操作により、カード２の左端は、充電装置１のガイド部１５に当接する。次に、ユーザの操作により、カード２は、ガイド部１５に当接した状態を維持しながら、摺動する。カード２は、図４（ａ）では上下方向に摺動し、図４（ｂ）では図面の紙面に垂直な方向に摺動する。そして、充電装置１のピン１３ａ、１３ｄが、それぞれカード２の電極板２１ｄ、２１ｈに接触して、バッテリー２２の充電が開始すると、充電灯１４が点灯する。ユーザは、充電灯１４の点灯により、充電装置１に対してカード２が正しい位置にあることを知り、その位置にカード２を固定する。
【００３９】
（実施形態１の効果）
携帯端末から電力の供給を受けることにより、バッテリー２２付きのカード２に充電するための携帯型充電装置１を実現することができる。次に、携帯型充電装置１であっても、ピン１３ａ、１３ｄをカード２の受電部２１の電極板２１ｄ、２１ｈに接触させることにより、カード２を適切に保持することができる。また、携帯型充電装置１であっても、カード２の一端が当接可能なガイド部１５があるので、カード２を安定的に保持することができる。さらに、カード２の充電に際して、携帯型充電装置１に対するカード２の適切な位置を、ユーザに知らせることができる。
【００４０】
〔実施形態２〕
以下、本発明の実施形態２について、図５を用いて詳細に説明する。
【００４１】
図５は、本実施形態に係る充電装置１ａの構造を示す図である。図５（ａ）は、受電用コネクタ１２ａが本体１１ａから引き出された状態を示す図である。図５の（ｂ）は、図５の（ａ）に示す本体１１ａのＢ−Ｂ断面図である。図５（ｃ）は、受電用コネクタ１２ａが本体１１ａに収容された状態を示す図である。
【００４２】
図５の（ａ）及び（ｂ）に示すように、充電装置１ａの本体１１ａには、受電用コネクタ１２ａを収容可能な凹部１８が形成されている。
【００４３】
図５（ａ）に示すように、受電用コネクタ１２ａは、本体１１ａの凹部１８から外されて、携帯端末に挿入可能な状態になっている。
【００４４】
図５（ｂ）に示すように、受電用コネクタ１２ａは、本体１１ａの凹部１８に収容されて、携帯端末に挿入不可能な状態になっている。
【００４５】
（実施形態２の効果）
携帯型充電装置１ａの本体１１ａに受電用コネクタ１２ａを収容可能とすることにより、携帯型充電装置１ａの携帯性がさらに向上する。
【００４６】
（カード２の外観）
図６は、本発明の実施形態１、２に係る、バッテリー２２を有するカード２の外観の一例を示す図である。以下、カード２において、所有者の署名を記載する面を裏面、裏面の反対側の面を表面と称する。図６の（ａ）は、カード２が非活性化されているときの表面の外観を示す図であり、（ｂ）は、カード２が活性化されているときの裏面の外観を示す図であり、（ｃ）は、カード２が活性化されているときの表面の外観を示す図である。
【００４７】
カード２は、スマートフォン等の活性化用端末によって活性化されるまでは非活性化されている。このため、カードが活性化されるまでユーザはカード２を使用することができない。
【００４８】
図６の（ａ）に示すように、カード２の表面に記載されているカード番号の一部を隠すように、ＬＣＤ２３ａは配置されている。そのため、ＬＣＤ２３ａが画像を表示していない状態（すなわち、カード２が非活性化されている状態）では、カード２のカード番号の一部しかユーザに提示していないため、第三者が不正にカード２を使用するのを防ぐことができる。
【００４９】
また、図６の（ａ）および（ｂ）に示すように、カード２はさらに、有効期限を表示するＬＣＤ２３ｂ、およびセキュリティコードを表示するＬＣＤ２３ｃを備えている。なお、図６の（ａ）には図示していないが、カード２が非活性化されている状態では、ＬＣＤ２３ｃも同様に画像を表示しない。
【００５０】
受電部２１は、カードＮＦＣ通信部として機能する。カード２が非活性化されている状態において、ユーザがスイッチ２６を押し、カード２の受電部２１をスマートフォンのスマートフォンＮＦＣ通信部に近づけると、カード２はカード情報をスマートフォンに送信する。そして、カード２が活性化されると、図６の（ｂ）に示すように、ＬＣＤ２３ｃはセキュリティコードを表示する。また、図６の（ｃ）に示すように、ＬＣＤ２３ａはカード番号の一部を表示、ＬＣＤ２３ｂは有効期限を表示する。
【００５１】
なお、カード２は制御部を備えており、制御部が上記の処理を行う。
【００５２】
〔ソフトウェアによる実現例〕
携帯型充電装置１、１ａ、カード２の制御部は、集積回路（ＩＣチップ）等に形成された論理回路（ハードウェア）によって実現してもよいし、ＣＰＵ（Central Processing Unit）を用いてソフトウェアによって実現してもよい。
【００５３】
後者の場合、携帯型充電装置１、１ａ、カード２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００５５】
１  携帯型充電装置
２  カード
１１  本体
１２  受電用コネクタ
１３  接触部
１５  ガイド部
１８  凹部
２１  受電部
２２  バッテリー
【図１】
2018050434.tif 000003
【図２】
2018050434.tif 000004
【図３】
2018050434.tif 000005
【図４】
2018050434.tif 000006
【図５】
2018050434.tif 000007
【図６】
2018050434.tif 000008